(57)【特許請求の範囲】
【請求項１】
地質調査の際に岩石を採取するためのハンマーにおいて、
棒状の柄と、
複数で構成され、互いに異なる形状を持ち、岩石の形態や種類によって選択されて前記柄に脱着可能に結合されるヘッドと、
前記柄に前記ヘッドを分離可能に結合させるカプラーと、
前記柄または前記ヘッドの中で少なくともいずれか一方の端部に固定され、磁性を有して、岩石に含まれた鉄に反応する磁性体と、を含み、
前記カプラーは、
前記ヘッドと同一体を成し、前記ヘッドの下部に突出する棒状の中子と、
前記柄の上端部に管体状に備えられ、前記中子が内側に挿入され、円周方向に沿って多数の切開スリットが形成され、端部の内径が縮径可能に形成されるコレットと、
前記コレットの外周面に螺合され、前記コレットの内径を縮径させながら前記中子を加圧して固定させる締結リングと、を含むことを特徴とする、地質調査用ハンマーキット。
【請求項２】
前記カプラーは、
前記コレットに挿入された前記中子の回転を拘束して前記ヘッドの回転を防止する回転防止部材をさらに含むことを特徴とする、請求項１に記載の地質調査用ハンマーキット。
【請求項３】
前記回転防止部材は、
前記中子の外周面に突設され、前記コレットの切開スリットの長手方向に沿って挿入されて係合される少なくとも一つの係合突起を含むことを特徴とする、請求項２に記載の地質調査用ハンマーキット。
【請求項４】
前記柄に備えられ、採取された岩石のサイズや種類を識別するための岩石識別部をさらに含むことを特徴とする、請求項１に記載の地質調査用ハンマーキット。
【請求項５】
前記岩石識別部は、
前記柄の長手方向に沿って固定され、岩石の長さまたは幅を測定するためのスケールバーを含むことを特徴とする、請求項４に記載の地質調査用ハンマーキット。
【請求項６】
前記岩石識別部は、
前記スケールバーの他側で前記柄の外周面に固定され、表面が素焼き陶磁器からなり、岩石の条痕色を測定するための条痕板をさらに含むことを特徴とする、請求項５に記載の地質調査用ハンマーキット。
【請求項７】
前記条痕板は、
前記柄に埋め込まれた状態で固定され、表面が露出されることを特徴とする、請求項６に記載の地質調査用ハンマーキット。
【請求項８】
前記複数のヘッドは、
岩石の中で低強度の岩石を採取するためのソフトヘッドと、
前記ソフトヘッドによって採取される岩石より高強度の岩石を採取するためのハードヘッドと、を含むことを特徴とする、請求項１に記載の地質調査用ハンマーキット。
【請求項９】
前記ソフトヘッドは、
一側に平たい打撃部が形成され、前記打撃部の他側に楔状に伸びる楔部が形成されたことを特徴とする、請求項８に記載の地質調査用ハンマーキット。
【請求項１０】
前記ハードヘッドは、
一側に平たい打撃部が形成され、前記打撃部の他側に尖っているのみ状に伸びるのみ部が形成されたことを特徴とする、請求項８に記載の地質調査用ハンマーキット。
【請求項１１】
前記柄は、
すべりを防止するためのノンスリップパッドが外周面に沿って一体的に備えられたことを特徴とする、請求項１に記載の地質調査用ハンマーキット。
【発明の詳細な説明】
【技術分野】
【０００１】
本発明は、地質調査用ハンマーキットに係り、より詳しくは岩石の種類や形態に応じてヘッドを取り替えて岩石を採取することができる地質調査用ハンマーキットに関するものである。
【背景技術】
【０００２】
一般に、野外地質調査や岩石鉱物の同定の際には多くの装備を携帯するようになるが、そのうちで岩石を採取するための岩石ハンマーが代表的である。
【０００３】
一般的な岩石ハンマーは、図１に示したように、ヘッド１と柄２とからなるものを携帯し、ヘッド１の一側に平たく形成された平面１ａで岩石を打撃する、またはヘッド１の他側にのみ状に尖るように形成されたのみ部１ｂで岩石を割って採取する。
【０００４】
ところが、このような一般的な岩石ハンマーは、花崗岩のような高強度の岩石を採取するのには適していると言えるが、石灰岩や頁岩のように低強度の岩石を採取するのには適していないため、他の形態を持つ別個のハンマーを携帯しなければならない面倒な問題点がある。
【０００５】
また、一般的な岩石ハンマーは、鉄鉱石のように鉄が含有された岩石を識別することができない欠点もある。
【０００６】
本発明の先行技術として、大韓民国登録特許第１０−０６８９６３０号公報に提案された「ヘッド交替用つち」がある。
【０００７】
このような先行技術のつちは、用途に応じてヘッドのみを入れ替ることができる便利さがあるが、ヘッド部を固定する構成が複雑であるため、長期間使用したヘッドの入れ替えに適合するばかり、岩石の採取現場で直ちにヘッドを入れ替るのには適合しない問題点がある。
【０００８】
一方、野外地質調査の際には岩石の特性を測定するためのさまざまな装備を全て携帯しなければならない面倒さもある。
【先行技術文献】
【特許文献】
【０００９】
【特許文献１】大韓民国登録特許第１０−０６８９６３０号公報
【発明の概要】
【発明が解決しようとする課題】
【００１０】
本発明は前記のような従来技術の問題点を改善するためになされたもので、岩石を採取する場合に岩石の強度や形態に応じてヘッドを直ちに取り替えて使うことができ、特に岩石の中で鉄含有の岩石や磁性鉱物を容易に感知することができる地質調査用ハンマーキットを提供することに目的がある。
【００１１】
また、採取された岩石のサイズや種類を識別することができる部材を一体的に備えた地質調査用ハンマーキットを提供することに他の目的がある。
【課題を解決するための手段】
【００１２】
前記のような目的を達成するための本発明による地質調査用ハンマーキットは、地質調査の際に岩石を採取するためのハンマーであって、棒状の柄と、複数で構成され、互いに異なる形状を持ち、岩石の形態や種類によって選択されて前記柄に脱着可能に結合されるヘッドと、前記柄に前記ヘッドを分離可能に結合させるカプラーと、前記柄または前記ヘッドの中で少なくともいずれか一方の端部に固定され、磁気力を発散して、岩石に含まれた鉄に反応する磁性体と、を含むことを特徴とする。
【００１３】
たとえば、前記カプラーは、前記ヘッドと同一体を成し、前記ヘッドの下部に突出する棒状の中子と、前記柄の上端部に管体状に備えられ、前記中子が内側に挿入され、円周方向に沿って多数の切開スリットが形成され、端部の内径が縮径可能に形成されるコレットと、前記コレットの外周面に螺合され、前記コレットの内径を縮径させながら前記中子を加圧して固定させる締結リングと、を含むことができる。
【００１４】
また、前記カプラーは、前記コレットに挿入された前記中子の回転を拘束して前記ヘッドの回転を防止する回転防止部材をさらに含むことができる。
【００１５】
たとえば、前記回転防止部材は、前記中子の外周面に突設され、前記コレットの切開スリットの長手方向に沿って挿入されて係合される少なくとも一つの係合突起を含むことができる。
【００１６】
そして、本発明は、前記柄に備えられ、採取された岩石のサイズや種類を識別するための岩石識別部をさらに含むことができる。
【００１７】
前記岩石識別部は、たとえば前記柄の長手方向に沿って固定され、岩石の長さまたは幅を測定するためのスケールバーを含むことができる。
【００１８】
また、前記岩石識別部は、前記スケールバーの他側で前記柄の外周面に固定され、表面が素焼き陶磁器からなり、岩石の条痕色を測定するための条痕板をさらに含むことができる。
【００１９】
また、前記条痕板は、前記柄に埋め込まれた状態で固定され、表面が露出されることができる。
【００２０】
たとえば、前記複数のヘッドは、岩石の中で低強度の岩石を採取するためのソフトヘッドと、前記ソフトヘッドによって採取される岩石より高強度の岩石を採取するためのハードヘッドと、を含むことができる。
【００２１】
また、前記ソフトヘッドは、一側に平たい打撃部が形成され、前記打撃部の他側に楔状に伸びる楔部が形成されることができる。
【００２２】
また、前記ハードヘッドは、一側に平たい打撃部が形成され、前記打撃部の他側に尖っているのみ状に伸びるのみ部が形成されることができる。
【００２３】
また、前記柄は、すべりを防止するためのノンスリップパッドが外周面に沿って一体的に備えられることができる。
【発明の効果】
【００２４】
前述した解決手段による本発明による地質調査用ハンマーキットは、複数のヘッドがカプラーを介して柄に結合されるので、岩石の種類や形態に適したヘッドを現場で直ちに取り替えて使うことができ、特に柄やヘッドに磁性体を備えることによって、岩石の中で鉄鉱石や磁鉄石のような岩石を容易に感知して採取することができる。
【００２５】
また、カプラーが、中子、コレット及び締結リングからなることにより、ヘッドの交換が容易であり、中子から突出した係合突起がコレットの切開スリットに挿入されて係合されることにより、ヘッドが回転防止された状態で堅固に固定されることができる。
【００２６】
そして、柄にスケールバーと条痕板を備えることにより、採取された岩石のサイズや特性を直ちに確認することができ、調査装備の嵩を縮小させることができる。
【図面の簡単な説明】
【００２７】
【図１】一般的な岩石ハンマーを示す正面図である。
【図２】本発明による地質調査用ハンマーキットを示す正面図である。
【図３】図２に示したヘッドの分解された状態を示す正面図である。
【図４】本発明のカプラーを示す分解斜視図である。
【図５】本発明の岩石識別部を示す正面図である。
【発明を実施するための形態】
【００２８】
以下、添付図面を参照して本発明の実施例についてより詳細に説明する。本発明の説明において、関連の公知の汎用的な機能または構成についての詳細な説明は省略する。
【００２９】
本発明による地質調査用ハンマーは、図２及び図３に示したように、柄１００、ヘッド２００、カプラー３００及び磁性体４００を含んでなることができる。
【００３０】
柄１００は、図示のように所定長さの棒状に形成されて把持される。
【００３１】
このような柄１００は、すべりを防止するために、図示しないノンスリップパッドを外周面に備えることが好ましい。
【００３２】
ヘッド２００は、柄１００に結合されて岩石を採取する構成要素で、互いに異なる形態を有する複数のものからなり、岩石の種類や形態によって選択されて使われる。
【００３３】
このような複数のヘッド２００は、例えば図２及び図４に示したようなソフトヘッド２１０と図３に示したようなハードヘッド２２０とを含んでなることができる。
【００３４】
ソフトヘッド２１０は、石灰岩や頁岩のように比較的低い強度を有する岩石を採取するためのもので、図２に示したように、一側に形成された平たい打撃部２１１で岩石を壊し、他側に楔状に長く延設された楔部２１２で岩石のきめに沿って割りながら採取する。
【００３５】
そして、ハードヘッド２２０は、花崗岩のような比較的高強度の岩石を採取するためのもので、図３に示したように、一側に形成された平たい打撃部２２１で岩石を打撃して壊し、岩石の間に隙間が発生すれば、他側の尖っているのみ（chisel）状に形成されたのみ部２２２で岩石を採取する。
【００３６】
ここで、複数のヘッド２００は、前述したソフトヘッド２１０とハードヘッド２２０以外にも、岩石を採取するために、本発明が属する分野で知られた構成を付け加えることができる。
【００３７】
カプラー３００は、ヘッド２００を前述した柄１００に分離可能に結合する構成要素である。
【００３８】
このようなカプラー３００は、例えば図３及び図４に示したように、中子３１０、コレット３２０及び締結リング３３０を含んでなることができる。
【００３９】
中子３１０は、図示のように、ヘッド２００の下部に同一体を成して棒状に突出する。
【００４０】
コレット（collet）３２０は、図３及び図４に示したように、柄１００の上端に固定され、管体状に形成され、中子３１０が内側に挿入される。
【００４１】
このようなコレット３２０は、図示のように、多数の切開スリット３２１が円周方向に沿って形成されることにより、端部の内径が加圧によって収縮するようにする部材である。
【００４２】
締結リング３３０は、コレット３２０の内径を縮径させて中子３１０を加圧して固定する部材で、図３及び図４に示したように、中子３１０に嵌合された状態でコレット３２０の外周面に螺合しながらコレット３２０の内径を縮径させて中子３１０を加圧する。
【００４３】
このような締結リング３３０は、図３に示したように、下部から上部に行くほど内径が小さくなる形態に形成されることにより、コレット３２０に螺合しながらコレット３２０の内径を次第に縮径させる。
【００４４】
すなわち、ヘッド２００は、中子３１０を介してコレット３２０に挿入された状態で、締結リング３３０の締結によって加圧されて柄１００に固定される。
【００４５】
一方、カプラー３００は、図４に示したように、ヘッド２００の回転を防止するための回転防止部材３４０をさらに含んでなることができる。
【００４６】
回転防止部材３４０は、コレット３２０に挿入される中子３１０の回転を拘束することによってヘッド２００の回転を防止する部材である。
【００４７】
このような回転防止部材３４０は、例えば図４に示したように、中子３１０の外周面に一体的に突設され、コレット３２０の切開スリット３２１の長手方向に沿って挿入される係合突起３４１を含んでなることができる。
【００４８】
すなわち、中子３１０は、コレット３２０に挿入され、係合突起３４１が切開スリット３２１に挿入されて係合されることによって定位置の状態で回転しない。
【００４９】
したがって、ヘッド２００は、中子３１０の回転を防止することによって堅固な状態で固定されて勝手に回転しない。
【００５０】
磁性体４００は、磁気力を発散して、岩石に含有された鉄や磁鉄に反応して鉄鉱石や磁鉄石などを感知する部材である。
【００５１】
このような磁性体４００は、例えば磁石で構成され、図２に示したように、柄１００の端部に固定されることができ、図示のものとは異なり、ヘッド２００の端部に固定されることもできる。
【００５２】
これにより、使用者は、岩石を採取しながら、採取した岩石や採取部位に磁性体４００を密着させることで、岩石に含まれた鉄や磁鉄を容易に感知することができる。
【００５３】
そして、本発明のハンマーキットは、図５に示したように、岩石識別部５００をさらに含んでなることができる。
【００５４】
岩石識別部５００は、ヘッド２００によって採取された岩石のサイズや種類を現場で直ちに識別するための構成要素である。
【００５５】
このような岩石識別部５００は、例えば図５に示したように、柄１００の長手方向に沿って付着され、岩石の長さまたは幅を測定するスケールバー５１０を含んでなることができる。
【００５６】
このようなスケールバー５１０は、度盛りによって岩石のサイズを正確に測定するだけでなく、岩石と一緒に撮影されることによって、岩石の写真だけでもサイズを見積ることができるようにする。
【００５７】
また、岩石識別部５００は、図５に示したように、条痕板（streak plate）５２０をさらに含んでなることができる。
【００５８】
条痕板５２０は、周知のように、鉱物固有の条痕色によって黄鉄石や黄銅石のような鉱物の種類を区別するためのもので、素焼き陶磁器からなって柄１００の外周面に固定される。
【００５９】
このような条痕板５２０は、図５に示したように、使用者によって把持されない柄１００の上部に備えられることが好ましく、スケールバー５１０の他側で表面が露出した状態で柄１００に埋め込まれて固定されることができる。
【００６０】
前記のような構成要素を含む本発明による地質調査用ハンマーキットの使用方法及び作用を説明する。
【００６１】
使用者は、岩石の強度や形態または種類によってソフトヘッド２１０またはハードヘッド２２０を選択して柄１００に固定する。
【００６２】
この際、使用者は、締結リング３３０をコレット３２０から分離するまたは締結状態を緩め、ヘッド２００から突出した中子３１０をコレット３２０に挿入した後、締結リング３３０を締め付ける。
【００６３】
これにより、コレット３２０は、締結リング３３０によって内径が縮径しながら中子３１０を圧搾して固定し、よって、ヘッド２００は、中子３１０がコレット３２０に固定されることによって、柄１００に固定される。
【００６４】
この際、ヘッド２００は、中子３１０から突出した係合突起３４１がコレット３２０の切開スリット３２１に挿入されて係合されることによって、回転が防止された状態で堅固に固定される。
【００６５】
そして、使用者は、ヘッド２００によって採取された岩石や岩石の採取部位に磁性体４００を密着させて、岩石に含有された鉄や磁鉄を検査し、採取された岩石のサイズをスケールバー５１０で測定するまたは条痕板５２０で岩石を擦ることで条痕色を検査する。
【００６６】
以上のように、本発明による地質調査用ハンマーキットによれば、ヘッド２００が複数のヘッド２１０，２２０を含み、カプラー３００によって柄１００に結合されるので、岩石の種類や形態に適したヘッド２００を現場で直ちに取り替えて使うことができ、特に柄１００やヘッド２００に磁性体４００が備えされることにより、岩石の中で鉄鉱石や磁鉄石のような岩石を容易に感知して採取することができる。
【００６７】
また、カプラー３００が、中子３１０、コレット３２０及び締結リング３３０からなることにより、ヘッド２００の交換が容易であり、中子３１０から突出した係合突起３４１がコレット３２０の切開スリット３２１に挿入されて係合されることにより、ヘッド２００が回転防止された状態で堅固に固定されることができる。
【００６８】
そして、柄１００にスケールバー５１０及び条痕板５２０が備えられることにより、採取された岩石のサイズや特性を直ちに確認することができ、調査装備の嵩が縮小することができる。
【００６９】
以上、本発明の具体的な実施例を例として説明したが、これはただ説明の目的のためのもので、本発明の保護範囲を制限しようとするものではない。本発明の技術的思想を逸脱しない範疇内で多様な置換、変形及び変更が可能であるのは本発明が属する技術分野の通常の知識を持った者に明らかであろう。
【符号の説明】
【００７０】
１００    柄
２００    ヘッド
２１０    ソフトヘッド
２１１    打撃部
２１２    楔部
２２０    ハードヘッド
２２１    打撃部
２２２    のみ部
３００    カプラー
３１０    中子
３２０    コレット
３２１    切開スリット
３３０    締結リング
３４０    回転防止部材
３４１    係合突起
４００    磁性体
５００    岩石識別部
５１０    スケールバー
５２０    条痕板
【図１】
0005852687.tif 000002
【図２】
0005852687.tif 000003
【図３】
0005852687.tif 000004
【図４】
0005852687.tif 000005
【図５】
0005852687.tif 000006